(57)【要約】【課題】回路の大型化を抑制しつつ放送信号の信号レベルに応じた適切な制御が可能な放送信号受信装置を提供すること。【解決手段】放送信号が印加される高周波入力端（Ｔ１）に入力端が接続された増幅回路（３１１）と、増幅回路と並列に設けられた迂回回路（３１２）と、インピーダンス素子（３２１）と電界効果トランジスタ（３２２，３２２ａ）との並列回路を有し、並列回路が増幅回路の出力端と電源端子（Ｔ３）との間に接続されたバイアス回路（３２）と、増幅回路による増幅動作のオン又はオフを切り替えると共に、放送信号の信号経路を切り替える第１の制御信号が印加される第１の制御端子（Ｔ２）と、電界効果トランジスタのオン又はオフを切り替える第２の制御信号が印加される第２の制御端子（Ｔ４）と、を備え、増幅モードと、バイパスモードと、減衰モードと、のいずれかを選択可能に構成した。【選択図】図１
2013172161.tif 000002
【特許請求の範囲】
【請求項１】
受信した放送信号が印加される高周波入力端に入力端が接続された増幅回路と、
前記増幅回路と並列に設けられた迂回回路と、
インピーダンス素子と電界効果トランジスタとの並列回路を有し、前記並列回路が前記増幅回路の出力端と電源端子との間に接続されたバイアス回路と、
前記増幅回路による増幅動作のオン又はオフを切り替えると共に、前記放送信号の信号経路を前記増幅回路又は前記迂回回路に切り替える第１の制御信号が印加される第１の制御端子と、
前記電界効果トランジスタのオン又はオフを切り替える第２の制御信号が印加される第２の制御端子と、を備え、
前記増幅回路の増幅動作をオンにして、前記放送信号の信号経路を前記増幅回路に切り替えて前記増幅回路を接続すると共に前記迂回回路を切断し、前記電界効果トランジスタをオンにする増幅モードと、前記増幅回路の増幅動作をオフにして、前記放送信号の信号経路を前記迂回回路に切り替えて前記迂回回路を接続すると共に前記増幅回路を切断し、前記電界効果トランジスタをオンにするバイパスモードと、前記増幅回路の増幅動作をオフにして、前記放送信号の信号経路を前記迂回回路に切り替えて前記迂回回路を接続すると共に前記増幅回路を切断し、前記電界効果トランジスタをオフにする減衰モードと、のいずれかを選択可能に構成されたことを特徴とする放送信号受信装置。
【請求項２】
前記インピーダンス素子はインダクタであり、
オフ状態の前記電界効果トランジスタと前記インダクタとで構成される共振回路の共振周波数が、受信される放送波の帯域内にあることを特徴とする請求項１に記載の放送信号受信装置。
【請求項３】
前記増幅回路は低雑音増幅器であることを特徴とする請求項１又は請求項２に記載の放送信号受信装置。
【請求項４】
前記低雑音増幅器と、前記迂回回路と、前記電界効果トランジスタとが一つの集積回路に設けられたことを特徴とする請求項３に記載の放送信号受信装置。
【請求項５】
前記増幅回路は、エミッタ接地回路又はソース接地回路であることを特徴とする請求項１又は請求項２に記載の放送信号受信装置。
【発明の詳細な説明】
【技術分野】
【０００１】
本発明は、アンテナからのＲＦ信号を増幅する増幅回路を備える放送信号受信装置に関する。
【背景技術】
【０００２】
従来より、放送信号受信装置の受信感度を高めるために、アンテナからのＲＦ（Radio  Frequency）信号を低雑音に増幅して後段に出力する低雑音増幅器（ＬＮＡ：Low  Noise  Amplifier）が用いられている。ＬＮＡを備える放送信号受信装置においては、ＲＦ信号の受信レベルに応じて信号経路を切り替えるために制御スイッチを備えるのが一般的である（例えば、特許文献１参照）。
【０００３】
特許文献１の放送信号受信装置は、ＬＮＡの前段に制御スイッチを備えており、ＲＦ信号の信号レベルに応じてＬＮＡと、ＬＮＡを迂回するバイパス経路とを選択できるように構成されている。ＲＦ信号が弱レベルの場合、制御スイッチによりＬＮＡが選択されてＲＦ信号は増幅される。一方、強レベルのＲＦ信号がＬＮＡで増幅されると出力は飽和する恐れがあるので、この場合はバイパス経路が選択されてＲＦ信号は増幅されることなく後段に伝送される。
【先行技術文献】
【特許文献】
【０００４】
【特許文献１】特開平８−１５４０６１号公報
【発明の概要】
【発明が解決しようとする課題】
【０００５】
ところで、放送波の受信環境が良好な場合、受信されたＲＦ信号の信号レベルは放送信号受信装置において設計上許容される信号レベルの上限を超えてしまうことがある。この場合、制御スイッチでバイパス経路が選択されてＲＦ信号が増幅されずに伝送されても、後段の回路において適切に信号処理されずに受信感度は低下してしまう。これを防ぐには、ＲＦ信号の信号レベルを弱める必要があるが、そのために新たな信号経路を設けると、追加の配線や素子などで回路が大幅に大きくなってしまうという問題が生じる。
【０００６】
本発明はかかる点に鑑みてなされたものであり、回路の大型化を抑制しつつ放送信号の信号レベルに応じた適切な制御が可能な放送信号受信装置を提供することを目的とする。
【課題を解決するための手段】
【０００７】
本発明の放送信号受信装置は、受信した放送信号が印加される高周波入力端に入力端が接続された増幅回路と、前記増幅回路と並列に設けられた迂回回路と、インピーダンス素子と電界効果トランジスタとの並列回路を有し、前記並列回路が前記増幅回路の出力端と電源端子との間に接続されたバイアス回路と、前記増幅回路による増幅動作のオン又はオフを切り替えると共に、前記放送信号の信号経路を前記増幅回路又は前記迂回回路に切り替える第１の制御信号が印加される第１の制御端子と、前記電界効果トランジスタのオン又はオフを切り替える第２の制御信号が印加される第２の制御端子と、を備え、前記増幅回路の増幅動作をオンにして、前記放送信号の信号経路を前記増幅回路に切り替えて前記増幅回路を接続すると共に前記迂回回路を切断し、前記電界効果トランジスタをオンにする増幅モードと、前記増幅回路の増幅動作をオフにして、前記放送信号の信号経路を前記迂回回路に切り替えて前記迂回回路を接続すると共に前記増幅回路を切断し、前記電界効果トランジスタをオンにするバイパスモードと、前記増幅回路の増幅動作をオフにして、前記放送信号の信号経路を前記迂回回路に切り替えて前記迂回回路を接続すると共に前記増幅回路を切断し、前記電界効果トランジスタをオフにする減衰モードと、のいずれかを選択可能に構成されたことを特徴とする。
【０００８】
この構成によれば、インピーダンス素子と電界効果トランジスタとの並列回路を有するバイアス回路を備えているので、電界効果トランジスタのオン又はオフを切り替えることで、バイアス回路の回路構成を実質的に切り替えてバイパスモードと減衰モードとを切り替えることができる。つまり、従来の回路に電界効果トランジスタを追加するだけで減衰モードが追加されるので、回路の大型化を抑制しつつ放送信号の信号レベルを適切に制御できる。
【０００９】
本発明の放送信号受信装置において、前記インピーダンス素子はインダクタであり、オフ状態の前記電界効果トランジスタと前記インダクタとで構成される共振回路の共振周波数が、受信される放送波の帯域内にあることが好ましい。この構成によれば、オフ状態の電界効果トランジスタを含む共振回路の共振により、放送信号の放送帯域における信号レベルを適切に減衰できる。
【００１０】
本発明の放送信号受信装置において、前記増幅回路は低雑音増幅器であることが好ましい。
【００１１】
本発明の放送信号受信装置において、前記低雑音増幅器と、前記迂回回路と、前記電界効果トランジスタとが一つの集積回路に設けられることが好ましい。この構成によれば、集積化により小型化できると共に、回路のばらつきを抑制できる。
【００１２】
本発明の放送信号受信装置において、前記増幅回路は、エミッタ接地回路又はソース接地回路であっても良い。
【発明の効果】
【００１３】
本発明によれば、回路の大型化を抑制しつつ放送信号の信号レベルに応じた適切な制御が可能な放送信号受信装置を提供できる。
【図面の簡単な説明】
【００１４】
【図１】本実施の形態に係る放送信号受信装置の構成例を示す回路図である。
【図２】アンプ部の内部構成及びアンプ部の動作を示す模式図である。
【図３】放送信号受信装置の動作例を説明するための模式図である。
【図４】減衰モードの効果を示すシミュレーションを説明するための図である。
【図５】放送信号受信装置の別の構成例を示す回路図である。
【発明を実施するための形態】
【００１５】
以下、図面を参照して、本発明の一実施の形態に係る放送信号受信装置の構成について説明する。なお、以下においては、本発明を説明するために簡略化された放送信号受信装置について説明するが、通常の放送信号受信装置が備える構成は不足なく備えるものとする。
【００１６】
図１は、本実施の形態に係る放送信号受信装置１の構成例を示す回路図である。本実施の形態に係る放送信号受信装置１は、アンテナ２と、受信機３とを備えている。アンテナ２は、各放送局から発信される放送波を受信して、ＲＦ信号（放送信号）を受信機３に供給する。
【００１７】
受信機３において、アンテナ２から供給されるＲＦ信号は、入力端子（高周波入力端）Ｔ１及び直流遮断用の容量Ｃ１を介してアンプ部３１に供給される。なお、アンプ部３１の各端子には１〜６の番号を付している。図２は、アンプ部３１の内部構成及びアンプ部３１の動作を示す模式図である。図２Ａ及び図２Ｂに示すように、アンプ部３１は、ＬＮＡ（増幅回路、低雑音増幅器）３１１と、ＬＮＡ３１１に並列なバイパス経路（迂回回路）３１２とを備えている。ＬＮＡ３１１の入力側及び出力側には、それぞれスイッチＳＷ１，ＳＷ２が直列に設けられている。同様に、バイパス経路３１２には、スイッチＳＷ３，ＳＷ４が直列に設けられている。このアンプ部３１は、ＬＮＡ３１１、バイパス経路３１２、スイッチＳＷ１〜ＳＷ４を含む１個の集積回路で構成されている。
【００１８】
図１に示すように、アンプ部３１には、抵抗Ｒ１を介して制御端子（第１の制御端子）Ｔ２が接続されており、この制御端子Ｔ２には、スイッチＳＷ１〜ＳＷ４を制御するためのスイッチ制御電圧（第１の制御信号）が印加される。例えば、図２Ａに示すように、制御端子Ｔ２を介してスイッチＳＷ１〜ＳＷ４に高電圧（Ｈｉｇｈ）が印加されると、スイッチＳＷ１，ＳＷ２はオンになり、スイッチＳＷ３，ＳＷ４はオフになる。この状態において、アンテナ２からのＲＦ信号はＬＮＡ３１１に入力されて増幅される。
【００１９】
一方、図２Ｂに示すように、制御端子Ｔ２を介してスイッチＳＷ１〜ＳＷ４に低電圧（Ｌｏｗ）が印加されると、スイッチＳＷ１，ＳＷ２はオフになり、スイッチＳＷ３，ＳＷ４はオンになる。この状態において、アンテナ２からのＲＦ信号はバイパス経路３１２を通じてそのまま後段に出力される。なお、図１に示すように、アンプ部３１に接続される容量Ｃ２により、スイッチＳＷ１〜ＳＷ４に印加される電圧の急激な変動は緩和され、アンプ部３１の動作は安定化される。
【００２０】
アンプ部３１の出力側には、バイアス回路３２を介して電源端子Ｔ３が接続されており、電源端子Ｔ３には電源電圧が印加される。バイアス回路３２は、電源端子Ｔ３に印加される電源電圧に基づいてアンプ部３１の出力端に所定のバイアス電圧を印加できるように構成されている。具体的には、バイアス回路３２は、アンプ部３１の出力側と電源端子Ｔ３との間において直列に設けられたインピーダンス素子３２１、インダクタＬ１、及び抵抗Ｒ２と、インピーダンス素子３２１に対して並列に設けられたｎチャネル型の電界効果トランジスタ３２２とを含んでいる。なお、電源端子Ｔ３の電源電圧は、アンプ部３１にも印加される。また、アンプ部３１は、グランド端子（５番）を備えている。
【００２１】
インピーダンス素子３２１は、所定のインピーダンスを示す素子であればどのようなものでも良いが、代表的には、抵抗又はインダクタである。このインピーダンス素子３２１を含むバイアス回路３２の抵抗値に応じてバイアス電圧が生成される。なお、バイアス電圧は、電源端子Ｔ３に接続される容量Ｃ３により安定化されている。インピーダンス素子３２１は、１つの素子で構成されていることに限られず、複数の素子で構成されていても良い。
【００２２】
電界効果トランジスタ３２２のソース端子は、インピーダンス素子３２１のアンプ部３１側の端子に接続されており、ドレイン端子は、インピーダンス素子３２１の電源端子Ｔ３側の端子に接続されている。一方、電界効果トランジスタ３２２のゲート端子には、抵抗Ｒ３を介して制御端子（第２の制御端子）Ｔ４が接続されている。この制御端子Ｔ４には、電界効果トランジスタ３２２のソース−ドレイン間の導通又は非導通を切り替えるためのゲート制御電圧（第２の制御信号）（ゲート電圧）が印加される。制御端子Ｔ４を介してゲート端子に高電圧が印加されると、電界効果トランジスタ３２２のソース−ドレイン間は導通状態（オン）となる。一方、制御端子Ｔ４を介してゲート端子に低電圧が印加されると、電界効果トランジスタ３２２のソース−ドレイン間は非導通状態（オフ）となる。制御端子Ｔ４に接続される容量Ｃ４によりゲート電圧は安定化されている。
【００２３】
導通状態の電界効果トランジスタ３２２は抵抗として機能し、非導通状態の電界効果トランジスタ３２２は容量として機能する。このため、制御端子Ｔ４に印加されるゲート電圧を制御して電界効果トランジスタ３２２の導通又は非導通を切り替えることで、バイアス回路３２の実質的な回路構成を切り替えることができる。具体的には、電界効果トランジスタ３２２を導通状態とすれば、バイアス回路３２は、インピーダンス素子３２１に対して抵抗が並列に設けられた状態になる。電界効果トランジスタ３２２を非導通状態とすれば、バイアス回路３２は、インピーダンス素子３２１に対して容量が並列に設けられた状態になる。
【００２４】
このように、電界効果トランジスタ３２２の導通又は非導通を切り替えてバイアス回路３２の実質的な回路構成を切り替えることで、バイアス回路３２の特性を変化させることができる。そして、この回路特性の変化を利用することでアンプ部３１の出力をさらに調整できる。バイアス回路３２によって調整されたアンプ部３１の出力は、容量Ｃ５及び出力端子Ｔ５を介して後段の回路（不図示）に伝送される。後段の回路においては、ＲＦ信号はＩＦ（Intermediate  Frequency）信号に変換されて放送信号は復調される。
【００２５】
図３は、上述のように構成された放送信号受信装置１の動作例を説明するための模式図である。図３Ａは、ＬＮＡによってＲＦ信号が増幅される動作モード（増幅モード）を示し、図３Ｂは、ＲＦ信号が増幅されずにそのまま伝送される動作モード（バイパスモード）を示し、図３Ｃは、ＲＦ信号が減衰される動作モード（減衰モード）を示す。なお、図３では、インピーダンス素子３２１としてインダクタが適用されている。
【００２６】
図３Ａに示すように、増幅モードにおいては、制御端子Ｔ２及び制御端子Ｔ４に高電圧が印加される。そうすると、アンプ部３１においてスイッチＳＷ１，ＳＷ２はオンになり、スイッチＳＷ３，ＳＷ４はオフになって、ＬＮＡ３１１が選択された状態になる。また、バイアス回路３２において、電界効果トランジスタ３２２は導通状態となる。つまり、電界効果トランジスタ３２２は抵抗として機能する。この場合、アンプ部３１に入力されるＲＦ信号は、ＬＮＡ３１１で増幅されて出力された後、バイアス回路３２でバイアスされる。電界効果トランジスタ３２２は、導通状態において適切な抵抗値が得られるように構成されており、アンプ部３１からの出力は、バイアス回路３２によって適切にバイアスされる。
【００２７】
図３Ｂに示すように、バイパスモードにおいては、制御端子Ｔ２に低電圧が印加され、制御端子Ｔ４に高電圧が印加される。そうすると、アンプ部３１においてスイッチＳＷ１，ＳＷ２はオフになり、スイッチＳＷ３，ＳＷ４はオンになって、バイパス経路３１２が選択された状態になる。また、バイアス回路３２において、電界効果トランジスタ３２２は導通状態となって抵抗として機能する。この場合、アンプ部３１に入力されるＲＦ信号は、バイパス経路３１２を通じて増幅されること無く出力された後、バイアス回路３２でバイアスされる。
【００２８】
図３Ｃに示すように、減衰モードにおいては、制御端子Ｔ２及び制御端子Ｔ４に低電圧が印加される。そうすると、アンプ部３１においてスイッチＳＷ１，ＳＷ２はオフになり、スイッチＳＷ３，ＳＷ４はオンになって、バイパス経路３１２が選択された状態になる。また、バイアス回路３２において、電界効果トランジスタ３２２は非導通状態となる。つまり、電界効果トランジスタ３２２は容量として機能する。この場合、アンプ部３１に入力されたＲＦ信号は、バイパス経路３１２を通じて増幅されること無く出力される。また、アンプ部３１の出力は、インピーダンス素子３２１（インダクタ）と電界効果トランジスタ３２２（容量）との並列共振回路（ＬＣ回路）の影響を受けて減衰される。電界効果トランジスタ３２２は、非導通状態において適切な容量値が得られるように構成されており、共振回路の共振周波数は放送波の帯域内に位置付けられる。
【００２９】
本実施の形態の放送信号受信装置１は、上述した３種類のモード（増幅モード、バイパスモード、減衰モード）をＲＦ信号の信号レベルに応じて切り替えて動作する。例えば、ＲＦ信号の信号レベルが弱い場合は増幅モードで動作し、ＲＦ信号の信号レベルがある程度強い場合はバイパスモードで動作し、ＲＦ信号の信号レベルが極めて強い場合は減衰モードで動作する。これにより、後段の回路に伝送されるＲＦ信号の信号レベルを適切に制御して、受信感度を高めることができる。
【００３０】
図４は、減衰モードの効果を示すシミュレーションを説明するための図である。図４Ａはバイパスモードのシミュレーション結果を示すグラフであり、図４Ｂは、バイパスモードのシミュレーションモデル示す回路図である。図４Ｃは減衰モードのシミュレーション結果を示すグラフであり、図４Ｄは、減衰モードのシミュレーションモデルを示す回路図である。なお、当該シミュレーションにおいては、電源端子Ｔ３に印加される電圧を０Ｖとしている。
【００３１】
図４Ａ及び図４Ｂに示すように、電界効果トランジスタ３２２が抵抗として機能するバイパスモードにおいて、出力端子Ｔ５から出力されるＲＦ信号は広い帯域で信号レベルがフラットな特性を有する。これに対し、図４Ｃ及び図４Ｄに示すように、電界効果トランジスタ３２２が容量として機能する減衰モードにおいて、出力端子Ｔ５から出力されるＲＦ信号は所定の周波数帯域で減衰されている。減衰モードにおいては、インピーダンス素子３２１（インダクタ）と電界効果トランジスタ３２２（容量）とで並列共振回路が構成されるため、その共振周波数の周辺の周波数帯域においてＲＦ信号は減衰される。
【００３２】
以上に示すように、本実施の形態に係る放送信号受信装置１は、バイアス回路３２がインピーダンス素子３２１に並列に接続される電界効果トランジスタ３２２を備えるので、電界効果トランジスタ３２２の導通又は非導通を切り替えることで、バイアス回路３２の回路構成を実質的に切り替えることができる。このため、ＲＦ信号の信号レベルに応じて電界効果トランジスタ３２２の導通又は非導通を切り替えることで、アンプ部３１の出力を適切に調整できる。つまり、従来の回路に電界効果トランジスタ３２２を追加するだけでアンプ部３１の出力を適切に調整できるので、回路の大型化を抑制しつつＲＦ信号の信号レベルに応じた適切な制御が可能である。
【００３３】
さらに、本実施の形態に係る放送信号受信装置１においては、増幅モード、バイパスモード、又は減衰モードのいずれかのモードを選択できるようになっているため、ＲＦ信号の信号レベルに応じて３つのモードを切り替えることで、ＲＦ信号の信号レベルを細やかに制御可能である。
【００３４】
図５は、放送信号受信装置の別の構成例を示す回路図である。図５に示す放送信号受信装置１ａの基本的な構成は、図１に示す放送信号受信装置１と共通している。このため、図５において、図１と同じ構成には同じ符号を付して詳細な説明を省略する。
【００３５】
図５に示す放送信号受信装置１ａは、アンプ部３１ａと電界効果トランジスタ３２２ａとが、１個の集積回路３３に含まれる点において図１に示す放送信号受信装置１と相違している。つまり、放送信号受信装置１のアンプ部３１と電界効果トランジスタ３２２とは別体であるが、放送信号受信装置１ａのアンプ部３１ａと電界効果トランジスタ３２２ａとは一体である。言い換えれば、集積回路３３は、アンプ部３１ａと、バイアス回路３２ａの一部である電界効果トランジスタ３２２ａとを一体に備えている。なお、集積回路３３の各端子には１〜８の番号を付している。
【００３６】
アンプ部３１ａの構成は、図２に示すアンプ部３１の構成と同様である。ただし、ＬＮＡ３１１及びバイパス経路３１２の出力側の接続点には、バイアス回路３２ａを構成する電界効果トランジスタ３２２ａのソース端子が接続されている。つまり、電界効果トランジスタ３２２ａのソース端子は、アンプ部３１ａの出力端子と接続されている。また、アンプ部３１ａの外部において、アンプ部３１ａの出力端子はインピーダンス素子３２１の一端と接続されている。つまり、電界効果トランジスタ３２２ａのソース端子は、インピーダンス素子３２１の一端と接続されている。また、電界効果トランジスタ３２２ａのドレイン端子は、インピーダンス素子３２１の他端と接続されている。これにより、インピーダンス素子３２１に対してｎチャネル型の電界効果トランジスタ３２２ａが並列に設けられた回路構成が実現されており、受信機３ａの回路構成は図１の受信機３の回路構成と等価になっている。
【００３７】
このように構成された放送信号受信装置１ａの動作は、放送信号受信装置１の動作と同じである。つまり、図３に示すように、ＲＦ信号の信号レベルに応じて切り替えられる３種類のモード（増幅モード、バイパスモード、減衰モード）で動作する。この放送信号受信装置１ａにおいては、アンプ部３１ａと電界効果トランジスタ３２２ａとが同じ集積回路３３内に設けられているので、アンプ部３１ａと電界効果トランジスタ３２２ａとの集積化により小型化できる。また、アンプ部３１ａと電界効果トランジスタ３２２ａとが同じ集積回路３３内に設けられているので、回路のばらつきが抑制されて周波数特性や信号レベル特性は安定化される。
【００３８】
なお、本発明は上記実施の形態の記載に限定されず、その効果が発揮される態様で適宜変更して実施することができる。例えば、上記実施の形態においては、ｎチャネル型の電界効果トランジスタを用いているが、ｐチャネル型の電界効果トランジスタを用いても良い。また、アンプ部が備える増幅回路は、ＬＮＡ（低雑音増幅器）に限られない。例えば、エミッタ接地回路又はソース接地回路をアンプ部の増幅回路として用いることもできる。
【００３９】
さらに、上記実施の形態においては、３種類のモードを切り替えることでアンプ部の出力を調整しているが、４種類以上のモードを切り替えるようにしても良い。例えば、ＬＮＡ（増幅回路、低雑音増幅器）が選択された状態で電界効果トランジスタが非導通状態となるような第４のモードを追加することで、さらに細やかな調整が可能である。なお、この第４のモードを、減衰モードの代わりに用いるようにしても良い。また、複数の電界効果トランジスタを直列又は並列に接続して個別に制御させるようにしても良い。この場合にも、より細やかな調整が可能である。
【００４０】
また、上記実施の形態においては、４個のスイッチによってＬＮＡ（増幅回路、低雑音増幅器）又はバイパス経路（迂回回路）が選択される構成を示しているが、ＬＮＡとバイパス経路とを適切に切り替えることが可能であれば、スイッチの数や構成などは特に限定されない。また、上記実施の形態の放送信号受信装置において、アンテナと入力端子と間の構成は明示されていないが、アンテナと入力端子との間の構成は任意に設定できる。例えば、アンテナと入力端子との間にＲＦフィルタを設け、アンテナからのＲＦ信号がＲＦフィルタを介して受信機に伝送されるようにしても良い。
【産業上の利用可能性】
【００４１】
本発明の放送信号受信装置は、例えば、車載用の放送信号受信装置として有用である。
【符号の説明】
【００４２】
１，１ａ  放送信号受信装置
２  アンテナ
３，３ａ  受信機
３１，３１ａ  アンプ部
３２，３２ａ  バイアス回路
３３  集積回路
３１１  ＬＮＡ（増幅回路、低雑音増幅器）
３１２  バイパス経路（迂回回路）
３２１  インピーダンス素子
３２２，３２２ａ  電界効果トランジスタ
Ｃ１〜Ｃ５  容量
Ｌ１  インダクタ
Ｒ１〜Ｒ３  抵抗
ＳＷ１〜ＳＷ４  スイッチ（制御スイッチ）
Ｔ１  入力端子（高周波入力端）
Ｔ２  制御端子（第１の制御端子）
Ｔ３  電源端子
Ｔ４  制御端子（第２の制御端子）
Ｔ５  出力端子
【図１】
2013172161.tif 000003
【図２】
2013172161.tif 000004
【図３】
2013172161.tif 000005
【図４】
2013172161.tif 000006
【図５】
2013172161.tif 000007